(57)【要約】【課題】簡便な操作でメモリカードに記録されたデジタル情報の自動表示や自動再生が可能なシステムを提供する。【解決手段】１以上のカードスロットに１以上のメモリカードが挿入されている場合において、挿入されているカードの数および／またはカードの種類に応じて、１種類以上のやり方で、挿入されている１以上のメモリカードの記録内容を示す画像を自動的に表示するモードに切り替わる（ＳＴ２０）。【選択図】    図４
2004326253.tif 000002
【特許請求の範囲】
【請求項１】
１以上のカードスロットと、このカードスロットに挿入されたメモリカードから記録内容を読み取る構成を備えたシステムで用いられる方法において、
前記１以上のカードスロットに１以上の前記メモリカードが挿入されているか否かを検出する検出処理ステップと；
前記１以上のカードスロットに前記１以上のメモリカードが挿入されている場合において、挿入されているカードの数および／またはカードの種類に応じて、１種類以上のやり方で、挿入されている前記１以上のメモリカードの記録内容を示す画像を自動的に表示するための画像データ表示モードに切り替わる切替処理ステップとを備えたメモリカード自動表示のための方法。
【請求項２】
前記１以上のカードスロットに前記１以上のメモリカードが挿入されている場合において、挿入されているカードの数が複数である場合は、どのカードを表示するのかを選択するステップをさらに備えた請求項１に記載の方法。
【請求項３】
前記１以上のカードスロットに前記１以上のメモリカードが挿入されている場合において、前記切替処理ステップが、挿入されているカードからカードＩＤを読み取るＩＤ読取ステップと、読み取ったカードＩＤに基づいて、そのＩＤで特定されるメモリカードに対して、その記録内容に関係した情報を出力するための情報処理ステップとを含むように構成された請求項１または請求項２に記載の方法。
【請求項４】
１以上のカードスロットと、このカードスロットに挿入されたメモリカードから記録内容を読み取る構成を備え、電源のオン・オフ機能を備えた機器で用いられる方法において、
前記１以上のカードスロットに１以上の前記メモリカードが挿入されているか否かを検出する検出処理ステップと；
前記電源がオンされた時点において、前記１以上のカードスロットに前記１以上のメモリカードが挿入されている場合は、前記１以上のカードスロットに１以上の前記メモリカードが挿入されていることを示す表示を行なう表示処理ステップとを備えたメモリカード自動表示のための方法。
【請求項５】
前記１以上のカードスロットに１以上の前記メモリカードが挿入されている場合において、そのメモリカードをみたいときは、そのカードをカードスロットに入れ直すか、カード選択操作をすることを求める表示を行なう処理を、前記表示処理ステップが含む請求項４に記載の方法。
【請求項６】
請求項１ないし請求項５のいずれか１項に記載の方法において、前記メモリカードは自分の識別情報を持ち、かつ、画像情報、音声情報、およびテキスト情報のうち少なくとも１つの情報を記録内容として持つことができるように構成されている。
【請求項７】
１以上のカードスロットと、このカードスロットに挿入されたメモリカードから記録内容を読み取る構成を備えた装置において、
前記１以上のカードスロットに１以上の前記メモリカードが挿入されているか否かを検出するカード検出部と；
前記１以上のカードスロットに前記１以上のメモリカードが挿入されている場合において、挿入されているカードの数および／またはカードの種類に応じて、１種類以上のやり方で、挿入されている前記１以上のメモリカードの記録内容を示す画像を自動的に表示するための構成とを備えたメモリカード自動表示装置。
【請求項８】
前記１以上のメモリカードはいずれも自分の識別情報を持ち、前記メモリカードの判定に、前記識別情報を利用するように構成されている請求項７の装置。
【請求項９】
請求項７または請求項８に記載の装置において、前記メモリカードが、画像情報、音声情報、およびテキスト情報のうち少なくとも１つの情報を記録内容として持つことができるように構成されている。
【発明の詳細な説明】
【０００１】
【発明の属する技術分野】
この発明は、メモリカードに記録されたデジタル情報を、カードスロットへの挿入といった簡便な操作で自動表示および／または自動再生できるシステムに関する。より具体的には、メモリカードをカードスロットに挿入するだけで、スチルピクチャ等のデジタルＡＶ情報を自動表示しおよび／または自動再生する方法および装置に関する。
【０００２】
【従来の技術】
近年、デジタルカメラは、瞬間の画像を補足し、その画像を恒久的にデジタル画像データとして記録することができる一般的な商品となった。この恒久的な記録（デジタル画像データ）は、必要に応じて何度でも視覚的に再現することができる。しかし、そのデジタル画像データを視覚的に再現し閲覧するためには、特別な装置、例えばパーソナルコンピュータやプリンタなど高価な装置が別途必要となり、安易に閲覧できない。
【０００３】
これに対して、従来技術として、デジタル画像データを一旦ＣＤ−ＲＯＭに書き込み、ビデオゲーム機にＣＤ−ＲＯＭを装着し、ゲームコントローラで操作し、画像閲覧プログラムを起動して、画像データを閲覧するものがある（特許文献１）。
【０００４】
また、テレビ受像機にハードディスクなどの大容量記憶装置を搭載し、デジタルカメラと信号ケーブルで接続することでデジタル画像データを記録装置に転送・保存し、テレビ受像機をアルバムのように見立て、見たいときに自由に閲覧できるといった方法も提案されている（特許文献２）。
【０００５】
【特許文献１】
特開２００３−００６０９０号公報。
【０００６】
【特許文献２】
特開２０００−３５４２２７号公報。
【０００７】
【発明が解決しようとする課題】
しかし、上記従来技術では、デジタル画像データを別のメディアに一旦書き込む手間が必要となったり、別途設備投資が必要であったり、または、一度転送・保存されるとデータを持ち出すことが容易にできなくなる等の問題がある。
【０００８】
また、ユーザにはデジタル画像データを閲覧するにあたり複雑な操作が要求され、対応できないユーザ（電子機器の操作に不慣れなお年寄り等）もでてくる。
【０００９】
この発明は上記事情に鑑みなされたもので、その目的は、簡便な操作（メモリカードをカードスロットに挿入する等）で、メモリカードに記録されたデジタル情報（画像情報、および、適宜、音声情報および／またはテキスト情報）の自動表示および／または自動再生できるシステム（方法および装置）を提供することである。
【００１０】
【課題を解決するための手段】
この発明の一実施の形態に係るメモリカード自動表示のための方法は、特別な処理ステップ（図４のＳＴ２０、図５のＳＴ２００〜ＳＴ２１０）を採用している。この処理ステップでは、１以上のカードスロットに１以上のメモリカードが挿入されている場合において、（ユーザが特別な操作をしなくても）挿入されているカードの数（例えば１〜４枚）および／またはカードの種類（例えばＳＤカード、スマートメディアＳＭ）に応じて、１種類以上のやり方（例えば図８〜図１２）で、挿入されている前記１以上のメモリカードの記録内容を示す画像を自動的に表示するための画像データ表示モードに切り替わる。
【００１１】
（注：“および／または”という表現は、英語における“ａｎｄ／ｏｒ”と同義であり、“〜および〜”の場合もしくは“〜または〜”の場合を示す意図で用いている。）
【００１２】
【発明の実施の形態】
以下、図面を参照して、この発明の種々な実施の形態に係るシステム（方法および装置）を説明する。
【００１３】
図１は、この発明の一実施の形態に係るデジタルＡＶ機器１００の内部構成を説明するブロック図である。ここでは機器１００の一例としてデジタルＴＶを想定しているが、この機器１００はその他のデジタルＡＶ機器、たとえばセットトップボックス（ＳＴＢ）と呼ばれるデジタルチューナ、あるいはＤＶＤビデオレコーダ、もしくはデジタルＡＶセンタでもよい。この機器（デジタルＴＶ）１００は、カードスロット１０、カードＩ／Ｆ回路部１２、カード検出回路部１４、制御部２０、デジタル信号処理回路部４０、表示部５０、受信回路部６０、ＩＥＥＥ１３９４Ｉ／Ｆ部７０等を含んで構成されている。このＩ／Ｆ部７０には、ＩＥＥＥ１３９４ケーブルを介して、他のデジタルＡＶ機器（ＳＴＢやＤＶＤレコーダ等）がデジタルリンク可能となっている。
【００１４】
図１の制御部２０は、マイクロコンピュータ（以下ＭＰＵと略記する）と、制御プログラム等が書き込まれたファームウエアＲＯＭと、ワークＲＡＭと、カードデータを記憶するＲＡＭ（例えばバッテリバックアップのＣＭＯＳメモリまたはＥＥＰＲＯＭ）等を含んで構成されている。制御部２０内のファームウエアＲＯＭには、例えば図４〜図６の処理を実行するプログラムが書き込まれている。
【００１５】
また、図１のデジタル信号処理回路部４０は、種々なビデオ情報が展開されるビデオメモリ（ＶＲＡＭ）、種々な処理後のデジタルビデオ信号をアナログビデオ信号に変換するＤＡ変換器（ＤＡＣ）等を含んで構成されている。
【００１６】
図２は、図１の機器（デジタルＴＶ）１００のモニタ画面１１０下部（フロントパネル）に設けられたメモリカードスロット１０の配置構成を例示している。図３は、図１の機器（デジタルＴＶ）１００で利用可能なリモートコントローラの一例を示している。また、図４は、この発明の一実施の形態に係るデジタルＡＶ機器（デジタルＴＶ）において、この機器に挿入されたメモリカードの記録内容がどのように自動表示されるかの処理の一例を説明するフローチャートである。この処理は、図１の制御部２０内のＭＰＵにより実行される。
【００１７】
図１の構成において、機器（デジタルＴＶ）１００は、１以上のメモリカードが挿入可能なマルチスロット型のカードスロット１０を備えている。このスロット１０に挿入されるメモリカードとしては、例えば、デジタルカメラ等の画像情報記憶媒体に用いられているスマートメディア（登録商標）、ＳＤカード（登録商標）、その他の板状半導体メモリカードがある。以下では、スマートメディアを適宜ＳＭカードと略記する。
【００１８】
ここで、ＳＤカードは、デジタルカメラ以外にデジタル固体レコーダ等にも利用されており、画像情報以外に、音声情報やテキスト情報等も記録可能になっている。また、これらのメモリカードは、自身を特定する識別情報（カードＩＤ）を持ち、さらに、記録内容に関係した情報として、ファイル情報（ファイルシステム、ファイル名情報、静止画枚数情報、撮影日時情報、画面サイズ情報あるいは解像度情報、曲名情報、曲数情報、著作権保護機能としてコピー世代管理情報など）を持つことができるようになっている。
【００１９】
カードスロット１０に設けられた１以上のカード挿入口（図２では１０−１、１０−２）に１以上のメモリカード（ＳＤカードおよび／またはＳＭカード）が物理的に挿入されると（図４のステップＳＴ１０イエス）、カードＩ／Ｆ回路部１２は、図示しない接続端子を介して挿入カードに給電を行なう。これにより、挿入カード内の図示しないシステムは稼働開始する。その際、特定のカードスロット（例えば図２の１０−１）に特定のメモリカード（例えば図１のＳＤカードＳＤ１）が挿入されたことは、カード検出回路部１４により検出される。
【００２０】
カード検出回路部１４は、どのスロットにどんなカードが挿入されたかを制御部２０に通知する。制御部２０のＭＰＵは、この挿入状態の通知を受けると、該当カードから必要な情報の読み取りを開始できるようになる。この読み取りを開始できないときは、正常な挿入状態ではないと判断される。
【００２１】
正常なカード挿入が検出されなければ（ステップＳＴ１２ノー）、ユーザに対して（ＴＶ画面上で）エラー表示を行なう（ステップＳＴ１４）。このエラー表示（図示せず）において、例えばユーザにカードを抜くよう促す。この表示によりユーザがカードを抜くと、後述するカード抜き取り検出（ステップＳＴ２４）に移行する。
【００２２】
メモリカードがカードスロット１０に正常に挿入されたことが検出されれば（ステップＳＴ１２イエス）、カードスロット１０に正常に挿入されたメモリカードが複数あるかどうかがチェックされる。正常に挿入されているカードが１枚の場合は（ステップＳＴ１６ノー）、ステップＳＴ２０に移行する。
【００２３】
一方、２枚以上のメモリカードが正常にカードスロット１０に挿入されているときは（ステップＳＴ１６イエス）、ＴＶ画面上で、どのメモリカードの画像データを表示するのかの選択を、ユーザにしてもらう（ステップＳＴ１８）。このユーザ選択のための画面表示は、例えば図７または図１５のように行なうことができる。このユーザ選択では、一般的には１枚のカードを選んでもらうことになるが、挿入された複数カードの全てを選んでもらう選択枝もある。
【００２４】
上記のユーザ選択は、図１のリモコン３０のボタン操作により行なうことができる。このリモコン３０は、例えば図３に示すように構成できる。例えば図７のような画面表示が出た場合、ユーザは、図３のリモコンのカーソルキー３０５ａあるいは３０５ｂを押して、図７のダイアログボックス１２０内に表示されたダイアログ１２２〜１２６のうちの何れかにカーソルを移動させ、所望のところでリモコンの決定ボタン３０７を押す。例えば、スマートメディアのダイアログ１２２が太線カーソルフレームで囲まれるようにカーソルキー３０５ａを操作してから決定ボタン３０７を押すと、例えば図２のカードスロット１０−２に挿入されたスマートメディア（ＳＭカード）が選択される。
【００２５】
あるいは、例えば図１５のような画面表示が出た場合、ユーザは、図３のリモコンのカードスロットダイレクト選択ボタン３０９の中から所望のダイアログ表示色と同じ選択ボタン（３０９ａ〜３０９ｄ）を押せばよい。具体例を示すと、図１５のカードスロット１０−１と１０−２にＳＤカード＃１とＳＭカード＃１が挿入されており、カードスロット１０−３と１０−４にはカードが挿入されていない場合、図１５のモニタ画面１１０上のダイアログボックス１２０には、ＳＤカード＃１を示す青色のダイアログ１２４と、ＳＭカード＃１を示す緑色のダイアログ１２２と、カードスロットに入っている全てのカードを選択する白抜きのダイアログ１２６が表示される。この場合、カード挿入がないスロット１０−３に対応する赤色ダイアログ１２５とカード挿入がないスロット１０−４に対応する黄色ダイアログ１２３は、ゴースト表示とされ、ユーザ選択ができないことが視覚的に表示される。この状態で、例えばユーザが、図３のリモコン３０に設けられた緑ボタン３０９ｃを押すと、図１５のカードスロット１０−２に挿入されたスマートメディア（ＳＭカード）＃１が選択される。
【００２６】
上記のリモコン操作の結果は、図２の機器１００の全面左下部に設けられたリモコン受信部（赤外線受光窓）３００を介して、図１の制御部２０に送られるようになっている。
【００２７】
なお、ステップＳＴ１８でのカード選択は、デフォルトで自動的に行なうこともできる。デフォルト選択の例としては、スロット番号の若い方を優先させる（例えば図２においてスロット１０−２よりもスロット１０−１を優先させる）方法と、検出されたカードの種類により特定種類を優先させる（例えばＳＤカードよりもＳＭカードを優先させる）方法と、検出されたカードのＩＤの若い方を優先させる方法などがある。
【００２８】
ユーザ選択あるいはデフォルト選択により表示対象のカードが決まると、ステップＳＴ２０に移行する。ステップＳＴ２０では、選択されたメモリカードの記録内容（画像データ等）を表示するモードに自動的に切り替わり、例えば図８〜図１２に示すような表示が自動的に行われる（ステップＳＴ２０の内容の詳細は図５を参照して後述する）。
【００２９】
この表示に用いる画像データは、図１のデジタル信号処理回路部４０内のＶＲＡＭに展開され、付加情報のオンスクリーン表示情報とともに、表示部５０に送られる。また、この表示部５０に送られた情報（カードの記録内容に該当する画像データおよびその関連情報）と同じ内容のビデオ信号は、機器１００のビデオモニタ出力あるいはＡＶ出力インターフェイスを介して、外部出力できるようになっている。例えば、表示部５０に送られた情報と同じ内容のビデオ信号は、Ｄ端子あるいはＳ端子もしくはコンポーネントビデオ端子を介して、図示しない大画面外部モニタに送ることができる。すると、表示部５０の画面サイズが小さくても、カードの記録内容（デジタルカメラで撮影したスチルピクチャ等）を外部モニタの大画面で見ることが可能となる。
【００３０】
なお、デジタルＴＶの場合は機器１００自身が表示部（ブラウン管ディスプレイ、液晶ディスプレイ、あるいはプラズマディスプレイ）を持っているので、外部モニタは必ずしも必要ではない。しかし、ＳＴＢ、ＡＶセンタ、あるいはＤＶＤレコーダの場合は、機器１００自身は、通常、（操作パネル上の液晶表示部あるいは蛍光管表示部を除き）画像表示部を持たない。従い、表示部５０なしの機器１００に対してこの発明を実施する場合では、そのモニタ出力あるいはＡＶ出力に、ＴＶモニタ等の外部表示装置が接続されて使用されることになる。
【００３１】
ユーザ所望の記録内容の視聴が終わり、メモリカードがカードスロット１０から抜き取られると（ステップＳＴ２２イエス）、そのカードの抜去状態が、カード検出回路部１４により検出される（ステップＳＴ２４）。
【００３２】
ここで、あるメモリカードが抜去された場合（例えば図２のスロット１０−１からＳＤカードが抜去された場合）において、別のスロット（例えば図２のスロット１０−２）に別のメモリカード（例えばＳＭカード）がスロット挿入状態で残っているときは（ステップＳＴ２６イエス）、残ったメモリカードに対して、ステップＳＴ２０の処理が自動的に実行される。
【００３３】
あるいは、あるカードが抜去されたあとに２枚以上のメモリカードが未だ挿入状態で残っているときは、それらのカードの選択をするために、ステップＳＴ１８にリターンしてもよい。あるカードが抜去されたあとに２枚以上のメモリカードが未だ挿入状態で残っているときにステップＳＴ２０にリターンするようにした場合は、残ったカードの１つをデフォルト選択するように構成できる（例えば残ったカードのうちスロット番号の若い方を優先的に選択するなど）。
【００３４】
一方、あるメモリカードが抜去された場合において、別のスロットに別のメモリカードが残っていないときは（ステップＳＴ２６ノー）、メモリカードの記録内容の表示は自動的に終了し、その時点でデジタル信号処理回路部４０に入力されているビデオ信号（たとえば受信回路部６０で受信されたオン・エア中の放送画像）が、表示部５０および／または外部モニタで表示されるようになる（ステップＳＴ２８）。その際、メモリカードが全て抜去されたことをユーザに知らせるダイアログボックス（例えば図１３の１５０）を、オン・エア画像上に、所定時間（例えば１０秒〜１分程）、オンスクリーン表示してもよい。この「メモリカード抜去通知」のオンスクリーン表示は、最初の１０秒〜１分程は大きく表示し、その後、モニタ画面１１０の４隅の何処かに小さく継続的にオンスクリーン表示するように構成してもよい。
【００３５】
図５は、図４における「画像データ表示モード」の処理内容の一例を説明するフローチャートである。図４のステップＳＴ１６またはＳＴ１８で１枚以上のメモリカードが検出あるいは選択されると、検出あるいは選択されたメモリカードのカードＩＤから、そのカードの種類（ＳＭカードかＳＤカードかそれ以外のカードか等）とカード番号（ＳＭ＃１、ＳＤ＃２等）が検出される。挿入されたメモリカードが著作権保護機能を持つカード（例えば音楽＋画像＋テキスト入りのＳＤカード）の場合は、そのカードから著作権保護の情報（デジタルコピー世代管理情報Ｄ−ＣＧＭＳ）を適宜検出される（ステップＳＴ２００）。このカードＩＤにより、例えば画像だけのカード（スチルピクチャカード）と音声／テキスト入りカード（音楽カード）を区別して管理する場合に、管理しやすくなる。
【００３６】
次に、カードＩＤ（および／または該当カードが挿入されているカードスロット番号１０−１〜１０−４）で特定されたメモリカードから、ファイルデータを読み取る（ステップＳＴ２０２）。これにより、そのカードに記録されている画像ファイルのファイル名（あるいは記録されている音楽の曲名）、合計ファイル数（あるいは合計曲数）、各ファイル（あるいは各曲）に対応するスチルピクチャ（あるいはジャケットピクチャ）の画像データが読み取られる。その際、そのカードにオーディオデータやテキストデータが記録されているときは、適宜、オーディオデータやテキストデータへのサーチポインタも読み取られる。
【００３７】
メモリカードから読み取った画像データは、フルスクリーンサイズ（リアルサイズ）または縮小サイズ（サムネール）として、図１のデジタル信号処理回路部４０内のＶＲＡＭに展開される（ステップＳＴ２０４）。サムネールによるマルチ表示の場合は、例えば図８、図１１あるいは図１２に例示されるような表示になる。リアルサイズ表示の場合は、例えば図９に例示されるような表示になる。サムネール表示とリアルサイズ（あるいは相対的な拡大サイズ）表示が併用される場合は、例えば図１０に例示されるような表示になる（ステップＳＴ２０６）。
【００３８】
その際、メモリカード以外からビデオ入力があるとき（例えば図１の受信回路部６０からＡＤＣ６２を介して放送画像がデジタル信号処理回路部４０に入力されているとき）は、その放送画像が、カードからの画像データの背景画像として（あるいは別ウインドウの縮小画像として）、ＶＲＡＭに展開される（ステップＳＴ２０４）。そのようなビデオ入力がないときは、カードからの画像データの背景画像としては、例えばブルーバックを用いることができる。
【００３９】
メモリカードから読み取ったファイルデータ（ファイル名／曲名、ファイル数／曲数、撮影／記録日時、画面サイズ／サンプリングレート、圧縮方法、演奏時間等の情報）は、テキストのオンスクリーン表示データとして、ＶＲＡＭに展開される（ステップＳＴ２０４）。例えば、挿入検出されたＳＤカードに１４７枚のスチルピクチャが記録されており、これらのスチルピクチャに対応するサムネールが１頁１２枚づつモニタ画面１１０上にマルチ表示される場合を想定すると、ＶＲＡＭに展開された画像の表示状態は、例えば図８に示すようになる（ステップＳＴ２０６）。
【００４０】
さらに、選択されたメモリカードから著作権保護のためのデジタルコピー世代管理情報（Ｄ−ＧＣＭＳ）が検出されたときは、そのコピー管理情報（コピーネバー、ノーモアコピー、コピーワンス、あるいはコピーフリー）もＶＲＡＭに展開され（ステップＳＴ２０４）、モニタ画面１１０上にオンスクリーン表示できる（ステップＳＴ２０６）。
【００４１】
ここで、マルチ表示されたサムネールのユーザ選択等に用いるカーソルフレームも、オンスクリーン表示データとして、ＶＲＡＭに展開される（ステップＳＴ２０４）。図３のリモコン３０のカーソルキー（３０５ａ〜３０５ｄ）操作で例えば図８左上のサムネール１３０−１にカーソルフレームが合わされ、その状態でリモコン３０の決定ボタン３０７が押されると、サムネール１３０−１に対応する画像データが選択され、選択された画像データがモニタ画面１１０上でリアルサイズ（あるいはフルスクリーン）表示される（ステップＳＴ２０８）。図９はその表示例を示す。
【００４２】
選択されたサムネール１３０−１にオーディオサーチポインタおよび／またはテキストサーチポインタがリンクしているときは、このサーチポインタにより対応するオーディオデータ（曲）および／またはテキストデータがメモリカードから読み出され、対応するスチルピクチャ（ジャケットピクチャ）の画面表示中に、その曲の楽音が図示しないスピーカから再生され、および／またはそのテキスト（歌手の紹介や歌詞等）がモニタ画面１１０上にオンスクリーン表示される（ステップＳＴ２１０）。その際、その曲のオーディオデータを図１のＡＶ出力インターフェイスを介して外部のオーディオアンプに送ることができる。
【００４３】
ところで、図４の処理は、図１の機器１００の電源オン前ではどのカードスロットにもカードが挿入されていない場合を想定している。この場合、もし電源オン前にどれかのカードスロットにメモリカードが挿入されていると、電源オン後は（ユーザが気づかない限り）そのメモリカードの存在が無視されてしまう。メモリカードをカードスロットに挿入したまま機器１００の電源をオフしてしまうのは度々ありがちなことであり、挿入されたままのメモリカードがあることをユーザに通知することは有益である。そこで、その対策も示しておくことにする。
【００４４】
すなわち、図６は、図４の処理に先だって行うことのできるものであって、機器の電源がオンされたときにメモリカードスロットに既にメモリカードが入っている場合の処理の一例を説明するフローチャートである。図１４は、ＡＶ機器（デジタルＴＶ）のカードスロットの配設例と、この機器の電源がオンされた際にどれかのカードスロットに既にメモリカードが入っている場合において、そのカードの内容を見るにはどうすれば良いかを視聴者（ユーザ）に知らせる表示例を説明する図である。また、図１５は、図４の処理において「どのメモリカードのデータを表示するかの選択」における表示画像の他例を説明する図である。
【００４５】
図２の電源スイッチ３０１ａが押されることで図１の機器１００の電源がオンされると（ステップＳＴ０１イエス）、図１の制御部２０内のＭＰＵは、カード検出回路部１４からの検出結果に基づき、いずれかのカードスロットにメモリカードが挿入されているかどうかチェックする。いずれのカードスロットにもメモリカードが挿入されていないときは（ステップＳＴ０３ノー）、図４のステップＳＴ１０の処理に移る。
【００４６】
一方、いずれかのカードスロットにメモリカードが挿入されているときは（ステップＳＴ０３イエス）、「カードスロットにメモリカードが挿入されている」ことと、「そのカードの内容を見たいときはリモコン３０上のカード選択ボタン３０３を押す」ことを促す表示を、モニタ画面１１０にオンスクリーン表示する（ステップＳＴ０５）。そして、図４のステップＳＴ１８の処理に移る。この場合の表示例を、図１４のダイアログボックス１６０に示す。
【００４７】
図１４の表示１６０を見てユーザが図３のカード選択ボタン３０３を押すと、モニタ画面表示１１０には、図１５に例示されるように、カード選択メニューのダイアログボックス１２０がポップアップされる。この例では、カードスロット１０−１とカードスロット１０−２に電源オン時にＳＤカード＃１とスマートメディア＃１が挿入されていた場合を示している。ユーザが、表示されたダイアログボックス１２０中のダイアログ１２２、１２４あるいは１２６のいずれかをリモコン操作で選択し決定すると、図４のステップＳＴ２０（図５のステップＳＴ２００〜ＳＴ２１０）の処理に入る。
【００４８】
図７は、図４の処理において「どのメモリカードのデータを表示するかの選択」における表示画像の一例を説明する図である。また、図８はカードスロットに挿入されたメモリカードの記録内容をマルチ表示する場合の一例を示し、図９は図８のマルチ表示において１つの画像が選択された場合に選択画像が拡大表示される場合の一例を示している。
【００４９】
すなわち、いずれかのカードスロットにメモリカードが挿入されると、その挿入が直ちに検出され、瞬時にデジタル画像データを表示するモード（図４のステップＳＴ２０）に切り替わる。すると、メモリカードに記録されているデジタル画像データが読み込まれ、モニタ画面１１０に表示される（図８）。その際、メモリカードが複数枚挿入されている場合は、メモリカードに記録されているデジタル画像データをモニタ表示する前に、図７に例示するように表示したいメモリカードを選択するダイアログボックス１２０が表示される。この表示を見たユーザが、手元のリモコン３０のカーソルを操作し所望のカードを選択することで、対応するカードの表示モード（ステップＳＴ２０）に切り替わる。こうして表示される形式は、図８あるいは図９のようにできる。すなわち、最初はファイルの中身が複数枚縮小表示（図８のサムネール・マルチ表示）される。この表示を見たユーザが、リモコン操作により、拡大表示したい縮小画像にカーソルを移動し選択すると、選択された縮小画像の表示が、図９のように拡大表示（シングル表示）に切り替わる。
【００５０】
図１０は、カードスロットに挿入されたメモリカードの記録内容がマルチ表示されるとともに、マルチ表示の中で選択状態にある画像が拡大表示される場合の一例を説明する図である。この例では、左側にマルチ表示されたサムネール上のカーソルフレームをリモコンのカーソルキー操作により縦スクロールさせることで、カーソルフレームがある位置のサムネール画像に対応する画像が、右側の表示領域でシングル表示される。
【００５１】
図１１は、カードスロットに挿入された２つのメモリカードの記録内容を同時並行してマルチ表示する場合の一例を説明する図である。また、図１２は、カードスロットに挿入された２つのメモリカードの記録内容を同時並行してマルチ表示する場合の他例を説明する図である。メモリカードが複数枚挿入されている場合のマルチ表示については、カードを個々に選択せず、図１１のように、モニタ表示を各カードごとに分割して同時表示する方法がある。あるいは、図１２のように、シームレスで全てのメモリカードの画像データ（サムネール）を同時表示する方法もある。
【００５２】
図１３は、図４の処理において「抜去状態のモニタ表示（ステップＳＴ２８）」における表示画像の一例を説明する図である。すなわち、メモリカードがカードスロットから抜去されたことをカード検出回路部１４が検出した時には、まず他のスロットにメモリカードが挿入されていないか確認し、挿入されていれば、そのカードに対して表示モード（ステップＳＴ２０）を継続し、挿入されていなければ、通常の受信放送をモニタ表示するか、または、図１３のようにカードが挿入されていない旨のダイアログボックス１５０をモニタ画面１１０に表示する。
【００５３】
以上述べたように、この発明の実施の形態によれば、ユーザがデジタルカメラなどでメモリカードに記録した画像データを見る際に、面倒な操作をしなくても、メモリカードを機器のカードスロットに挿入するだけで、その記録内容（画像データおよび、適宜その付加情報）を自動的に表示しあるいは再生することができる。
【００５４】
また、この発明の実施の形態によれば、一枚あるいは複数枚のメモリカードの挿入を検出し、瞬時にデジタル画像データを表示するモードに切り替わり、メモリカードに記憶されている画像データを複数枚縮小表示することにより、ユーザ操作の手間を省き、容易にデジタル画像データを閲覧することができる。
【００５５】
なお、この発明は上記各実施の形態に限定されるものではなく、その実施の段階ではその要旨を逸脱しない範囲で種々な変形・変更が可能である。すなわち、この発明の実施において用いるメモリカードは、スチルピクチャだけの記録媒体に限定されることはなく、動画、音声、テキスト等が適宜混在して記録されたメモリカードの記録内容の自動表示および／または自動再生にも利用できる。また、各実施の形態は可能な限り適宜組み合わせて実施されてもよく、その場合組み合わせによる効果が得られる。
【００５６】
さらに、上記実施の形態には種々な段階の発明が含まれており、この出願で開示される複数の構成要件における適宜な組み合わせにより種々の発明が抽出され得る。たとえば、実施の形態に示される全構成要件から１または複数の構成要件が削除されても、この発明の効果あるいはこの発明の実施に伴う効果のうち少なくとも１つが得られるときは、この構成要件が削除された構成が発明として抽出され得るものである。
【００５７】
【発明の効果】
以上詳述したようにこの発明によれば、簡便な操作でメモリカードに記録されたデジタル情報の自動表示や自動再生が可能なシステムを提供できる。
【図面の簡単な説明】
【図１】この発明の一実施の形態に係るデジタルＡＶ機器（デジタルＴＶ）の内部構成を説明するブロック図。
【図２】図１のＡＶ機器（デジタルＴＶ）の全面下部に設けられたメモリカードスロットの配置構成を例示する図。
【図３】この発明の一実施の形態に係るデジタルＡＶ機器（デジタルＴＶ）で利用可能なリモートコントローラの一例を説明する図。
【図４】この発明の一実施の形態に係るデジタルＡＶ機器（デジタルＴＶ）において、この機器に挿入されたメモリカードの記録内容がどのように自動表示されるかの処理の一例を説明するフローチャート図。
【図５】図４における「画像データ表示モード」の処理内容の一例を説明するフローチャート図。
【図６】機器の電源がオンされたときにカードスロットに既にメモリカードが入っている場合の処理の一例を説明するフローチャート図。
【図７】図４の処理において「どのメモリカードのデータを表示するかの選択」における表示画像の一例を説明する図。
【図８】カードスロットに挿入されたメモリカードの記録内容をマルチ表示する場合の一例を説明する図。
【図９】図８のマルチ表示において１つの画像が選択された場合に、選択画像が拡大表示される場合の一例を説明する図。
【図１０】カードスロットに挿入されたメモリカードの記録内容がマルチ表示されるとともに、マルチ表示の中で選択状態にある画像が拡大表示される場合の一例を説明する図。
【図１１】カードスロットに挿入された２つのメモリカードの記録内容を同時並行してマルチ表示する場合の一例を説明する図。
【図１２】カードスロットに挿入された２つのメモリカードの記録内容を同時並行してマルチ表示する場合の他例を説明する図。
【図１３】図４の処理において「抜去状態のモニタ表示」における表示画像の一例を説明する図。
【図１４】ＡＶ機器（デジタルＴＶ）のカードスロットの配設例と、この機器の電源がオンされた際にどれかのカードスロットに既にメモリカードが入っている場合において、そのカードの内容を見るにはどうすれば良いかを視聴者（ユーザ）に知らせる表示例を説明する図。
【図１５】図４の処理において「どのメモリカードのデータを表示するかの選択」における表示画像の他例を説明する図。
【符号の説明】
ＳＤ１、ＳＭ１、ＳＭ２…メモリカード；１０（１０−１〜１０−４）…カードスロット；１２カードＩ／Ｆ回路部；１４…カード検出回路部；２０…制御部（ＭＰＵ、ＲＯＭ、ＲＡＭ）；３０…リモコン；４０…デジタル信号処理回路部；５０…表示部；６０…受信回路部；６２…ＡＤＣ；７０…ＩＥＥＥ１３９４Ｉ／Ｆ；１００…デジタルＡＶ機器（ＴＶ、ＳＴＢ、ＡＶセンタ、ＤＶＤレコーダ等）；１１０…モニタ画面；１２０、１５０、１６０…ダイアログボックス；１３０、１４０…メモリカードの記録内容に対応したサムネール画面；２００…他のデジタルＡＶ機器；３００…リモコン受信部；３０１…電源ボタン；３０１ａ…電源スイッチ；３０３…カード選択ボタン；３０５（３０５ａ〜３０５ｄ）…カーソルキー；３０７…決定ボタン；３０９（３０９ａ〜３０９ｄ）…カードスロットダイレクト選択ボタン。
【図１】
2004326253.tif 000003
【図２】
2004326253.tif 000004
【図３】
2004326253.tif 000005
【図４】
2004326253.tif 000006
【図５】
2004326253.tif 000007
【図６】
2004326253.tif 000008
【図７】
2004326253.tif 000009
【図８】
2004326253.tif 000010
【図９】
2004326253.tif 000011
【図１０】
2004326253.tif 000012
【図１１】
2004326253.tif 000013
【図１２】
2004326253.tif 000014
【図１３】
2004326253.tif 000015
【図１４】
2004326253.tif 000016
【図１５】
2004326253.tif 000017